【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
プロセッサにおいて、
第１のアクセスポイントを通してアクセス端末にデータをルーティングし、
前記第１のアクセスポイントから第２のアクセスポイントに前記アクセス端末のハンドオフが要求される場合、前記アクセス端末の接続状態を前記第２のアクセスポイントに通信するように構成されているプロセッサ。
【請求項２】
前記プロセッサによりルーティングされるデータを現在受信していないアクセス端末からハンドオフリクエストを受信し、前記ハンドオフリクエストを第３のアクセスポイントにルーティングするようにさらに構成されている請求項１記載のプロセッサ。
【請求項３】
バッファ中に前記データを記憶させ、前記アクセス端末が前記第１のアクセスポイントから受信しなかった、前記バッファ中のデータの少なくとも一部を前記第２のアクセスポイントに提供することにより、前記接続状態を通信するようにさらに構成されている請求項１記載のプロセッサ。
【請求項４】
前記第１のアクセスポイントに問い合わせて、前記バッファ中のデータのいずれを前記第２のアクセスポイントに提供すべきかを識別するようにさらに構成されている請求項３記載のプロセッサ。
【請求項５】
前記データはフレーム化されており、フレームのそれぞれはスタンプに関係付けられ、前記プロセッサは、前記スタンプのうちの１つを前記第１のアクセスポイントに問い合わせ、前記スタンプのうちの１つを使用して、前記第２のアクセスポイントに提供すべきデータを含んでいる前記バッファ中のフレームを識別するようにさらに構成されている請求項３記載のプロセッサ。
【請求項６】
前記第１のアクセスポイントにより前記アクセス端末にルーティングされたデータに関係付けられたポインタを前記第１のアクセスポイントに問い合わせ、
前記ポインタを使用して、前記バッファ中のデータのいずれを前記第２のアクセスポイントに提供すべきかを識別するようにさらに構成されている請求項３記載のプロセッサ。
【請求項７】
受信した前記フレームのそれぞれはスタンプされ、前記プロセッサは、前記スタンプのうちの１つを前記第１のアクセスポイントに問い合わせ、前記スタンプのうちの１つを前記第２のアクセスポイントに提供することにより、前記アクセス端末の接続状態を通信するようにさらに構成されている請求項５記載のプロセッサ。
【請求項８】
前記第１のアクセスポイントにより前記アクセス端末にルーティングされたデータに関係付けられたポインタを前記第１のアクセスポイントに問い合わせ、前記ポインタを前記第２のアクセスポイントに提供することにより、前記アクセス端末の接続状態を通信するようにさらに構成されている請求項１記載のプロセッサ。
【請求項９】
無線リンクを通してデータを第２のアクセス端末にルーティングするようにさらに構成されている請求項１記載のプロセッサ。
【請求項１０】
プロセッサにおいて、
第１のアクセスポイントから、アクセス端末に通信可能に結合された第２のアクセスポイントにルーティングされるデータを検出し、
バッファ中に前記データを記憶させ、
前記アクセス端末のハンドオフを受信し、
前記バッファ中のデータの少なくとも一部を前記アクセス端末にルーティングするように構成されているプロセッサ。
【請求項１１】
前記アクセス端末にルーティングされるデータは、前記アクセス端末が前記第２のアクセスポイントから受信しなかったデータである請求項１０記載のプロセッサ。
【請求項１２】
前記データはフレーム化され、フレームのそれぞれはスタンプに関係付けられ、前記プロセッサは、前記スタンプのうちの１つを前記第１のアクセスポイントから取得し、前記スタンプのうちの１つを使用して、前記アクセス端末にルーティングするための前記バッファ中のデータを決定するようにさらに構成されている請求項１１記載のプロセッサ。
【請求項１３】
前記第２のアクセスポイントにより前記アクセス端末にルーティングされたデータに関係付けられたポインタを前記第１のアクセスポイントから取得し、前記ポインタを使用して、前記アクセス端末にルーティングするための前記バッファ中のデータを決定するようにさらに構成されている請求項１１記載のプロセッサ。
【請求項１４】
前記ハンドオフを受信するプロセス間に、前記第１のアクセスポイントから前記第２のアクセスポイントにルーティングされる、検出されなかったデータを取得するようにさらに構成されている請求項１０記載のプロセッサ。
【請求項１５】
アクセス端末をハンドオフする方法において、
第１のアクセスポイントを通してアクセス端末にデータをルーティングすることと、
前記第１のアクセスポイントから第２のアクセスポイントへの前記アクセス端末のハンドオフが要求される場合、前記アクセス端末の接続状態を前記第２のアクセスポイントに通信することとを含む方法。
【請求項１６】
データはプロセッサにより前記アクセス端末にルーティングされ、前記方法は、前記プロセッサによりルーティングされるデータを現在受信していないアクセス端末からハンドオフリクエストを受信することと、前記ハンドオフリクエストを第３のアクセスポイントにルーティングすることとをさらに含む請求項１５記載の方法。
【請求項１７】
バッファ中に前記データを記憶させることと、前記アクセス端末が前記第１のアクセスポイントから受信しなかった、前記バッファ中のデータの少なくとも一部を前記第２のアクセスポイントに提供することにより前記接続状態を通信することとをさらに含む請求項１５記載の方法。
【請求項１８】
前記第１のアクセスポイントに問い合わせて、前記バッファ中のデータのいずれを前記第２のアクセスポイントに提供すべきかを識別することをさらに含む請求項１７記載の方法。
【請求項１９】
前記データはフレーム化されており、フレームのそれぞれはスタンプに関係付けられ、前記方法は、前記スタンプのうちの１つを前記第１のアクセスポイントに問い合わせることと、前記スタンプのうちの１つを使用して、前記第２のアクセスポイントに提供すべきデータを含んでいる前記バッファ中のフレームを識別することとをさらに含む請求項１７記載の方法。
【請求項２０】
前記第１のアクセスポイントにより前記アクセス端末にルーティングされたデータに関係付けられたポインタを前記第１のアクセスポイントに問い合わせることと、
前記ポインタを使用して、前記バッファ中のデータのいずれを前記第２のアクセスポイントに提供すべきかを識別することとをさらに含む請求項１７記載の方法。
【請求項２１】
受信した前記フレームのそれぞれはスタンプされ、前記方法は、前記スタンプのうちの１つを前記第１のアクセスポイントに問い合わせることと、前記スタンプのうちの１つを前記第２のアクセスポイントに提供することにより前記アクセス端末の接続状態を通信することとをさらに含む請求項１９記載の方法。
【請求項２２】
前記第１のアクセスポイントにより前記アクセス端末にルーティングされたデータに関係付けられたポインタを前記第１のアクセスポイントに問い合わせることと、前記ポインタを前記第２のアクセスポイントに提供することにより、前記アクセス端末の接続状態を通信することとをさらに含む請求項１５記載の方法。
【請求項２３】
無線リンクを通してデータを第２のアクセス端末に送信することをさらに含む請求項１５記載の方法。
【請求項２４】
アクセス端末をハンドオフする方法において、
第１のアクセスポイントから、アクセス端末に通信可能に結合された第２のアクセスポイントにルーティングされるデータを検出することと、
バッファ中に前記データを記憶させることと、
前記アクセス端末のハンドオフを受信することと、
前記バッファ中のデータの少なくとも一部を前記アクセス端末にルーティングすることとを含む方法。
【請求項２５】
前記アクセス端末にルーティングされるデータは、前記アクセス端末が前記第２のアクセスポイントから受信しなかったデータである請求項２４記載の方法。
【請求項２６】
前記データはフレーム化され、フレームのそれぞれはスタンプに関係付けられ、前記方法は、前記スタンプのうちの１つを前記第１のアクセスポイントから取得することと、前記スタンプのうちの１つを使用して、前記アクセス端末にルーティングするための前記バッファ中のデータを決定することとをさらに含む請求項２５記載の方法。
【請求項２７】
前記第２のアクセスポイントにより前記アクセス端末にルーティングされたデータに関係付けられたポインタを前記第１のアクセスポイントから取得することと、前記ポインタを使用して、前記アクセス端末にルーティングするための前記バッファ中のデータを決定することとをさらに含む請求項２５記載の方法。
【請求項２８】
前記ハンドオフを受信するプロセス間に、前記第１のアクセスポイントから前記第２のアクセスポイントにルーティングされる、検出されなかったデータを取得することをさらに含む請求項２４記載の方法。
【請求項２９】
装置において、
第１のアクセスポイントを通してアクセス端末にデータをルーティングする手段と、
前記第１のアクセスポイントから第２のアクセスポイントへの前記アクセス端末のハンドオフが要求される場合、前記アクセス端末の接続状態を前記第２のアクセスポイントに通信する手段とを具備する装置。
【請求項３０】
前記ルーティング手段によりルーティングされるデータを現在受信していないアクセス端末からハンドオフリクエストを受信する手段と、前記ハンドオフリクエストを第３のアクセスポイントにルーティングする手段とをさらに具備する請求項２９記載の装置。
【請求項３１】
前記データを記憶させる手段をさらに具備し、前記アクセス端末の前記接続状態を通信する手段は、前記アクセス端末が前記第１のアクセスポイントから受信しなかった、前記バッファ中のデータの少なくとも一部を前記第２のアクセスポイントに提供する手段を備える請求項２９記載の装置。
【請求項３２】
前記第１のアクセスポイントに問い合わせて、前記バッファ中のデータのいずれを前記第２のアクセスポイントに提供すべきかを識別する手段をさらに具備する請求項３０記載の装置。
【請求項３３】
前記データはフレーム化されており、フレームのそれぞれはスタンプに関係付けられ、前記装置は、前記スタンプのうちの１つを前記第１のアクセスポイントに問い合わせる手段と、前記スタンプのうちの１つを使用して、前記第２のアクセスポイントに提供すべきデータを含んでいる前記バッファ中のフレームを識別する手段とをさらに具備する請求項３０記載の装置。
【請求項３４】
前記第１のアクセスポイントにより前記アクセス端末にルーティングされたデータに関係付けられたポインタを前記第１のアクセスポイントに問い合わせる手段と、
前記ポインタを使用して、前記バッファ中のデータのいずれを前記第２のアクセスポイントに提供すべきかを識別する手段とをさらに具備する請求項３０記載の装置。
【請求項３５】
受信した前記フレームのそれぞれはスタンプされ、前記装置は、前記スタンプのうちの１つを前記第１のアクセスポイントに問い合わせる手段と、前記スタンプのうちの１つを前記第２のアクセスポイントに提供することにより、前記アクセス端末の接続状態を通信する手段とをさらに具備する請求項３３記載の装置。
【請求項３６】
前記第１のアクセスポイントにより前記アクセス端末にルーティングされたデータに関係付けられたポインタを前記第１のアクセスポイントに問い合わせる手段と、前記ポインタを前記第２のアクセスポイントに提供することにより、前記アクセス端末の接続状態を通信する手段とをさらに具備する請求項２９記載の装置。
【請求項３７】
無線リンクを通してデータを第２のアクセス端末に送信する手段をさらに具備する請求項２９記載の装置。
【請求項３８】
装置において、
第１のアクセスポイントから、アクセス端末に通信可能に結合された第２のアクセスポイントにルーティングされるデータを検出する手段と、
バッファ中に前記データを記憶させる手段と、
前記アクセス端末のハンドオフを受信する手段と、
バッファ中の前記データの少なくとも一部を前記アクセス端末にルーティングする手段とを具備する装置。
【請求項３９】
前記アクセス端末にルーティングされるデータは、前記アクセス端末が前記第２のアクセスポイントから受信しなかったデータである請求項３８記載の装置。
【請求項４０】
前記データはフレーム化され、フレームのそれぞれはスタンプに関係付けられ、前記装置は、前記スタンプのうちの１つを前記第１のアクセスポイントから取得する手段と、前記スタンプのうちの１つを使用して、前記アクセス端末にルーティングするための前記バッファ中のデータを決定する手段とをさらに具備する請求項３９記載の装置。
【請求項４１】
前記第２のアクセスポイントにより前記アクセス端末にルーティングされたデータに関係付けられたポインタを前記第１のアクセスポイントから取得する手段と、前記ポインタを使用して、前記アクセス端末にルーティングするための前記バッファ中のデータを決定する手段とをさらに具備する請求項３９記載の装置。
【請求項４２】
前記ハンドオフを受信するプロセス間に、前記第１のアクセスポイントから前記第２のアクセスポイントにルーティングされる、検出されなかったデータを取得する手段をさらに具備する請求項３８記載の装置。
【請求項４３】
実行されるとき、アクセス端末をハンドオフするように動作するコンピュータプログラムを組み入れているコンピュータ読み取り可能媒体において、
前記コンピュータプログラムは、
第１のアクセスポイントを通してアクセス端末にデータをルーティングする命令と、
前記第１のアクセスポイントから第２のアクセスポイントへの前記アクセス端末のハンドオフが要求される場合、前記アクセス端末の接続状態を前記第２のアクセスポイントに通信する命令とを含むコンピュータ読み取り可能媒体。
【請求項４４】
前記コンピュータプログラムは、前記命令の実行を通してルーティングされるデータを現在受信していないアクセス端末からハンドオフリクエストを受信する命令と、前記ハンドオフリクエストを第３のアクセスポイントにルーティングする命令とをさらに含む請求項４３記載のコンピュータ読み取り可能媒体。
【請求項４５】
前記コンピュータプログラムは、バッファ中に前記データを記憶させる命令と、前記アクセス端末が前記第１のアクセスポイントから受信しなかった、前記バッファ中のデータの少なくとも一部を前記第２のアクセスポイントに提供することにより、前記接続状態を通信する命令とをさらに含む請求項４３記載のコンピュータ読み取り可能媒体。
【請求項４６】
前記コンピュータプログラムは、前記第１のアクセスポイントに問い合わせて、前記バッファ中のデータのいずれを前記第２のアクセスポイントに提供すべきかを識別する命令をさらに含む請求項４５記載のコンピュータ読み取り可能媒体。
【請求項４７】
前記データはフレーム化されており、フレームのそれぞれはスタンプに関係付けられ、前記コンピュータプログラムは、前記スタンプのうちの１つを前記第１のアクセスポイントに問い合わせる命令と、前記スタンプのうちの１つを使用して、前記第２のアクセスポイントに提供すべきデータを含んでいる前記バッファ中のフレームを識別する命令とをさらに含む請求項４５記載のコンピュータ読み取り可能媒体。
【請求項４８】
前記コンピュータプログラムは、前記第１のアクセスポイントにより前記アクセス端末にルーティングされたデータに関係付けられたポインタを前記第１のアクセスポイントに問い合わせる命令と、
前記ポインタを使用して、前記バッファ中のデータのいずれを前記第２のアクセスポイントに提供すべきかを識別する命令とをさらに含む請求項４５記載のコンピュータ読み取り可能媒体。
【請求項４９】
受信した前記フレームのそれぞれはスタンプされ、前記コンピュータプログラムは、前記スタンプのうちの１つを前記第１のアクセスポイントに問い合わせる命令と、前記スタンプのうちの１つを前記第２のアクセスポイントに提供することにより、前記アクセス端末の接続状態を通信する命令とをさらに含む請求項４７記載のコンピュータ読み取り可能媒体。
【請求項５０】
前記コンピュータプログラムは、前記第１のアクセスポイントにより前記アクセス端末にルーティングされたデータに関係付けられたポインタを前記第１のアクセスポイントに問い合わせる命令と、前記ポインタを前記第２のアクセスポイントに提供することにより、前記アクセス端末の接続状態を通信する命令とをさらに含む請求項４３記載のコンピュータ読み取り可能媒体。
【請求項５１】
前記コンピュータプログラムは、無線リンクを通してデータを第２のアクセス端末に送信する命令をさらに含む請求項４３記載のコンピュータ読み取り可能媒体。
【請求項５２】
実行されるとき、アクセス端末をハンドオフするように動作するコンピュータプログラムを組み入れているコンピュータ読み取り可能媒体において、
前記コンピュータプログラムは、
第１のアクセスポイントから、アクセス端末に通信可能に結合された第２のアクセスポイントにルーティングされるデータを検出する命令と、
バッファ中に前記データを記憶させる命令と、
前記アクセス端末のハンドオフを受信する命令と、
前記バッファ中のデータの少なくとも一部を前記アクセス端末にルーティングする命令とを含むコンピュータ読み取り可能媒体。
【請求項５３】
前記アクセス端末にルーティングされるデータは、前記アクセス端末が前記第２のアクセスポイントから受信しなかったデータである請求項５２記載のコンピュータ読み取り可能媒体。
【請求項５４】
前記データはフレーム化され、フレームのそれぞれはスタンプに関係付けられ、前記コンピュータプログラムは、前記スタンプのうちの１つを前記第１のアクセスポイントから取得する命令と、前記スタンプのうちの１つを使用して、前記アクセス端末にルーティングするための前記バッファ中のデータを決定する命令とをさらに含む請求項５３記載のコンピュータ読み取り可能媒体。
【請求項５５】
前記コンピュータプログラムは、前記第２のアクセスポイントにより前記アクセス端末にルーティングされたデータに関係付けられたポインタを前記第１のアクセスポイントから取得する命令と、前記ポインタを使用して、前記アクセス端末にルーティングするための前記バッファ中のデータを決定する命令とをさらに含む請求項５３記載のコンピュータ読み取り可能媒体。
【請求項５６】
前記コンピュータプログラムは、前記ハンドオフを受信するプロセス間に、前記第１のアクセスポイントから前記第２のアクセスポイントにルーティングされる、検出されなかったデータを取得する命令をさらに含む請求項５２記載のコンピュータ読み取り可能媒体。
【請求項５７】
装置において、
第１のアクセスポイントを通してアクセス端末にデータをルーティングするように構成されているルータと、
前記第１のアクセスポイントから第２のアクセスポイントへの前記アクセス端末のハンドオフが要求される場合、前記アクセス端末の接続状態を前記第２のアクセスポイントに通信するように構成されている制御装置とを具備する装置。
【請求項５８】
前記制御装置は、前記ルータによりルーティングされるデータを現在受信していないアクセス端末からハンドオフリクエストを受信し、前記ハンドオフリクエストを第３のアクセスポイントにルーティングするようにさらに構成されている請求項５７記載の装置。
【請求項５９】
前記データを記憶するように構成されているバッファをさらに具備し、前記制御装置は、前記アクセス端末が前記第１のアクセスポイントから受信しなかった、前記バッファ中のデータの少なくとも一部を前記第２のアクセスポイントに提供することにより、前記接続状態を通信するようにさらに構成されている請求項５７記載の装置。
【請求項６０】
前記制御装置は、前記第１のアクセスポイントに問い合わせて、前記バッファ中のデータのいずれを前記第２のアクセスポイントに提供すべきかを識別するようにさらに構成されている請求項５９記載の装置。
【請求項６１】
前記データはフレーム化されており、フレームのそれぞれはスタンプに関係付けられ、前記制御装置は、前記スタンプのうちの１つを前記第１のアクセスポイントに問い合わせ、前記スタンプのうちの１つを使用して、前記第２のアクセスポイントに提供すべきデータを含んでいる前記バッファ中のフレームを識別するようにさらに構成されている請求項５９記載の装置。
【請求項６２】
前記制御装置は、前記第１のアクセスポイントにより前記アクセス端末にルーティングされたデータに関係付けられたポインタを前記第１のアクセスポイントに問い合わせ、
前記ポインタを使用して、前記バッファ中のデータのいずれを前記第２のアクセスポイントに提供すべきかを識別するようにさらに構成されている請求項５９記載の装置。
【請求項６３】
受信した前記フレームのそれぞれはスタンプされ、前記制御装置は、前記スタンプのうちの１つを前記第１のアクセスポイントに問い合わせ、前記スタンプのうちの１つを前記第２のアクセスポイントに提供することにより前記アクセス端末の接続状態を通信するようにさらに構成されている請求項６１記載の装置。
【請求項６４】
前記制御装置は、前記第１のアクセスポイントにより前記アクセス端末にルーティングされたデータに関係付けられたポインタを前記第１のアクセスポイントに問い合わせ、前記ポインタを前記第２のアクセスポイントに提供することにより、前記アクセス端末の接続状態を通信するようにさらに構成されている請求項５７記載の装置。
【請求項６５】
前記ルータは、無線リンクを通してデータを第２のアクセス端末にルーティングするようにさらに構成されている請求項５７記載の装置。
【請求項６６】
装置において、
第１のアクセスポイントから、アクセス端末に通信可能に結合された第２のアクセスポイントにルーティングされるデータを検出するように構成されているトランシーバと、
前記データを記憶するように構成されているバッファと、
前記アクセス端末のハンドオフを受信し、前記バッファ中のデータの少なくとも一部を前記アクセス端末にルーティングするように構成されている制御装置とから構成されている装置。
【請求項６７】
前記アクセス端末にルーティングされるデータは、前記アクセス端末が前記第２のアクセスポイントから受信しなかったデータである請求項６６記載の装置。
【請求項６８】
前記データはフレーム化され、フレームのそれぞれはスタンプに関係付けられ、前記制御装置は、前記スタンプのうちの１つを前記第１のアクセスポイントから取得し、前記スタンプのうちの１つを使用して、前記アクセス端末にルーティングするための前記バッファ中のデータを決定するようにさらに構成されている請求項６７記載の装置。
【請求項６９】
前記制御装置は、前記第２のアクセスポイントにより前記アクセス端末にルーティングされたデータに関係付けられたポインタを前記第１のアクセスポイントから取得し、前記ポインタを使用して、前記アクセス端末にルーティングするための前記バッファ中のデータを決定するようにさらに構成されている請求項６７記載の装置。
【請求項７０】
前記制御装置は、前記ハンドオフを受信するプロセス間に、前記第１のアクセスポイントから前記第２のアクセスポイントにルーティングされる、検出されなかったデータを取得するようにさらに構成されている請求項６６記載の装置。
【手続補正２】
【補正対象書類名】明細書
【補正対象項目名】００３１
【補正方法】変更
【補正の内容】
【００３１】
代わりに、物理レイヤフレームのフォーマットがクラスタ１０２全体にわたって同一である場合、中間アクセスポイント１０４ｂは担当アクセスポイント１０４ｄからスタンプを取得できる。ターゲットアクセスポイント１０４ｅからのデータリクエストに応答して、中間アクセスポイント１０４ｂは、アクセス端末１１０に配信された最後のフレームに対するスタンプ、アクセス端末１１０への配信を待ち受けている次のフレームに対するスタンプ、またはハンドオフの後にターゲットアクセスポイント１０４ｅからアクセス端末１１０に配信するための最初のフレームを中間アクセスポイント１０４ｂが決定できるようにする他の任意のスタンプを取得できる。中間アクセスポイント１０４ｂはスタンプを使用して、接続状態として、記憶装置からターゲットアクセスポイント１０４ｅへ適切なフレームをルーティングする。フレームは、ハンドオフの後に、ターゲットアクセスポイント１０４ｅによりアクセス端末１１０に対して配信される。
【手続補正３】
【補正対象書類名】明細書
【補正対象項目名】００４９
【補正方法】変更
【補正の内容】
【００４９】
図６は、アクセスポイントの例を図示する機能ブロック図である。アクセスポイント１０４は、第１のアクセスポイントを通してデータをアクセス端末にルーティングする手段６０２を含む。ルーティング手段６０２は、ルータとすることができる。第１のアクセスポイントから第２のアクセスポイントへのアクセス端末のハンドオフが要求される場合、アクセス端末の接続状態を第２のアクセスポイントに通信する手段６０４もアクセスポイントは含む。通信手段６０４は、制御装置とすることができる。